(57)【要約】【課題】  住宅に発生する騒音を遠隔地でも的確に監視できるシステムを提供する。【解決手段】  この騒音監視システム１は、集合住宅の部屋２に発生する騒音を検知する騒音センサ３と、騒音センサ３の出力に基づいて騒音レベルを監視するＷＥＢ機能を搭載した監視装置４と、騒音レベルが基準値を超えたときに警報を発生する警報器５と、騒音レベルを表示する端末機としてのパソコン６および携帯電話７とを備えている。監視装置４は騒音レベルをＷＥＢデータに含めてパソコン６と携帯電話７とに送信する。居住者は携帯電話７で監視装置４にアクセスし、監視装置４から受信したＷＥＢページを表示し、外出先で自宅の騒音レベルをチェックする。【選択図】        図１
2008033397.tif 000002
【特許請求の範囲】
【請求項１】
住宅に発生する騒音を検知する騒音センサと、騒音センサの出力に基づいて騒音レベルを監視する監視装置と、騒音レベルが基準値を超えたときに警報を発生する警報器と、騒音レベルを表示する端末機とからなり、監視装置と端末機とがネットワークを介して接続され、監視装置が騒音レベルをＷＥＢデータに含めて送信する手段を備え、端末機が受信したＷＥＢデータを表示する手段を備えたことを特徴とする騒音監視システム。
【発明の詳細な説明】
【技術分野】
【０００１】
本発明は、住宅の騒音を監視するシステムに関する。
【背景技術】
【０００２】
従来、住宅の部屋に発生する騒音をセンサで検知し、騒音レベルが基準値を超えたときに警報を発生するシステムが知られている。例えば、特許文献１に記載された「集合住宅の騒音モニタ装置」は、振動加速度センサや音圧センサの出力に基づいて警報器を動作させるように構成されている。
【特許文献１】特開平８−２３３６４８号公報
【発明の開示】
【発明が解決しようとする課題】
【０００３】
この監視システムによれば、居住空間に発生する騒音レベルを居住者に知らせ、騒音をめぐる隣人とのトラブルを未然に回避することができる。しかし、従来の監視システムは、監視範囲が居住空間に限られているため、例えば、居住者が外出先で子供による騒音を監視したり、警報レベルの設定を変更したりするなど、遠隔地で騒音を監視できないという問題点があった。
【０００４】
そこで、本発明の目的は、住宅に発生する騒音を遠隔地でも的確に監視できるシステムを提供することにある。
【課題を解決するための手段】
【０００５】
上記の課題を解決するために、本発明の騒音監視システムは、住宅に発生する騒音を検知する騒音センサと、騒音センサの出力に基づいて騒音レベルを監視する監視装置と、騒音レベルが基準値を超えたときに警報を発生する警報器と、騒音レベルを表示する端末機とからなり、監視装置と端末機とがネットワークを介して接続され、監視装置が騒音レベルをＷＥＢデータに含めて送信する手段を備え、端末機が受信したＷＥＢデータを表示する手段を備えたことを特徴とする。
【０００６】
ここで、騒音監視システムは、集合住宅、戸建住宅、店舗用住宅等の各種住宅に適用できる。騒音センサとしては、住宅の床や壁の振動を検知する振動加速度センサ、居住者の声や音響機器の音を検知する音圧センサ等を使用できる。警報器としては、ブザー、ランプ、合成音声発生器等を例示できる。
【０００７】
監視装置には、騒音レベルの設定・測定、監視データの記憶、警報出力等の機能に加え、ＷＥＢデータの送受信機能を備えた機器を使用できる。端末機としては、ネットワークを介して監視装置と双方向通信可能な機器、例えば、ディスクトップ型のパソコン、携帯型のノートパソコン、電子メール機能を備えた携帯電話、携帯情報端末（ＰＤＡ）等を使用できる。
【発明の効果】
【０００８】
本発明の騒音監視システムによれば、住宅に発生した騒音が騒音センサで検知され、騒音レベルを含むＷＥＢデータが監視装置からネットワークを介して端末機に送信される。従って、居住者は外出中であっても、手元の端末機にＷＥＢページを表示し、自宅に発生している騒音を遠隔地で的確に監視できるという効果がある。
【発明を実施するための最良の形態】
【０００９】
以下、本発明を実施するための最良の形態を図面に基づいて説明する。図１は集合住宅用の騒音監視システム１を示す。集合住宅の各部屋２には、床や壁等の複数個所に騒音センサ３が取り付けられるとともに、適所に監視装置４と警報器５とが設置されている。そして、騒音センサ３が部屋２に発生した騒音を検知し、監視装置４が騒音センサ３の出力に基づいて騒音レベルを監視し、騒音レベルが基準値を超えたときに、警報器５が居住者に音または光による警報を発生するようになっている。
【００１０】
監視装置４はＷＥＢブラウザを搭載し、騒音レベルをＷＥＢデータ中に含めて端末機に送信する。この実施形態の監視システム１では、端末機として居住者が自宅で使用するパソコン６と、電子メール機能を備えた携帯電話７とが用いられている。パソコン６は、家庭内ＬＡＮ８を介して監視装置４に接続され、監視装置４が出力したＷＥＢデータを表示部６ａに表示する。携帯電話７は、インターネット９を介して監視装置４に接続され、監視装置４が出力したＷＥＢデータを表示部７ａに表示する。
【００１１】
図２に示すように、監視装置４は、監視処理実行部１１と表示部１２と警報出力部１３とを備えている。監視処理実行部１１は、騒音センサ３の出力に基づいて現在の騒音レベルを測定し、表示部１２が、騒音レベルの測定値を監視装置４の一部（図１参照）でグラフィカルに表示する。さらに、監視処理実行部１１は、騒音レベルの測定値と予め設定された基準値とを比較し、測定値が基準値を超えたときに、警報指令を警報出力部１３に送信し、警報出力部１３が警報器５を動作させる。
【００１２】
また、監視装置４には、ＷＥＢデータ作成部１４、監視データ記憶部１５、通信部１６および監視条件設定部１７が設けられている。ＷＥＢデータ作成部１４は、ＷＥＢブラウザを用い、監視処理実行部１１から入力した騒音レベルを含むＷＥＢページデータを作成し、監視データ記憶部１５と通信部１６とに出力する。通信部１６は、ＷＥＢページデータを家庭内ＬＡＮ８、インターネット９を介してパソコン６と携帯電話７とに送信するとともに、各端末機から受信した監視条件を設定部１７に出力する。
【００１３】
パソコン６および携帯電話７は、監視機能の点でほぼ同様に構成され、監視装置４との間で送受信を行う通信部１８と、ＷＥＢブラウザを用いて受信または送信データを処理する送受信データ処理部１９と、監視時間や警報レベル等の各種の監視条件を設定する入力部２０と、監視装置４から受信したＷＥＢページデータをグラフィカルに表示する表示部６ａ，７ａとを備えている。そして、居住者がパソコン６または携帯電話７を使用して監視装置４にアクセスし、監視装置４が出力した騒音レベルを表示部６ａ，７ａに随時表示できるようになっている。
【００１４】
この実施形態の騒音監視システム１によれば、次のような作用効果が得られる。
（１）集合住宅の部屋２に発生した騒音を騒音センサ３で検知し、騒音レベルが基準値を超えたときに、警報器５を動作させて、居住者に注意を促すことができる。
（２）現在の騒音レベルをＷＥＢページデータに含めて監視装置４からパソコン６または携帯電話７に送信することができる。
（３）監視装置４による監視条件をパソコン６または携帯電話７の遠隔操作によって容易に変更することができる。
【００１５】
（４）居住者は、在宅中にパソコン６を使用し、外出中は携帯電話７を使用し、どちらの場合も、手元の端末機にＷＥＢページを表示し、自宅に発生している騒音レベルをリアルタイムに監視することができる。
（５）携帯電話７の電子メール機能を利用することで、騒音レベルが基準値を超えたときに、警報メッセージを載せた電子メールを監視装置４またはパソコン６から携帯電話７に自動的に送信することができる。
（６）このため、居住者は外出中であっても自宅の騒音を遠隔地でチェックでき、自宅に残る子供に携帯電話７で注意を促すなど、隣人との騒音トラブルを回避するための対策を容易に講じることができる。
【００１６】
本発明は上記実施形態に限定されるものではなく、例えば、騒音監視システム１を戸建住宅や店舗用住宅に適用したり、ＷＥＢ機能を搭載したＴＶやステレオを端末機として使用するなど、本発明の趣旨を逸脱しない範囲で各部の構成を適宜変更して実施することも可能である。
【図面の簡単な説明】
【００１７】
【図１】本発明の一実施形態を示す騒音監視システムの全体構成図である。
【図２】監視装置および端末機の構成を示すブロック図である。
【符号の説明】
【００１８】
１    騒音監視システム
３    騒音センサ
４    監視装置
５    警報器
６    パソコン
７    携帯電話
１４    ＷＥＢデータ作成部
１６    通信部
１８    通信部
１９    送受信データ処理部
【図１】
2008033397.tif 000003
【図２】
2008033397.tif 000004